(57)【要約】ユーザ装置UE（20）は、隣接セル（26）が在圏セル（22）よりも優先度が高いこと決定し、隣接セル信号強度をn>1の反復で測定し、在圏セル（22）から隣接セル（26）に再選択するために信号強度を解析する。各反復測定は互いに、隣接セル（26）が高優先度セルである場合に固有の時間間隔（例えば、1 DRX）だけ空ける。様々な実施形態において、UE（20）はCELL-PCH，URA-PCHまたはアイドル状態／モードにおいて測定を行い、これらの状態／モードに遷移後初めて利用可能な測定機会において、最初の反復測定が行われる。UE（20）は解析した信号強度に基づいて隣接セル（26）に再選択する。ある実施形態では、再選択決定は在圏セル（22）の信号品質に関係しない。別の実施形態では、再選択決定は特定の時間周期Treselectionの間も満たされ続けるかに関係しない。【選択図】図１
2014512752.tif 000002
【特許請求の範囲】
【請求項１】
ユーザ装置を制御するために用いる装置であって、前記装置は処理システムを備え、前記処理システムは：
隣接セルが在圏セルよりも優先度が高いセルであると決定することと；
前記隣接セルから受信する信号強度をn回反復して測定することであって、前記測定の各々は互いに、隣接セルが高優先度セルである場合に固有の時間間隔だけ空け、ここでnは1を超える整数である、前記測定することと；
前記ユーザ装置を前記在圏セルから前記隣接セルに再選択するために、前記n個の測定信号強度を解析することと；
を実行するように構成される、装置。
【請求項２】
前記隣接セルは高優先度周波数レイヤのセルまたは高優先度無線アクセス技術のセルであり、前記在圏セルはUTRANセルである、請求項１に記載の装置。
【請求項３】
前記UTRAN在圏セルにあるユーザ装置がCELL-PCH状態，URA-PCH状態またはアイドルモードのうちの一つである間、信号強度がn回反復して測定される、請求項２に記載の装置。
【請求項４】
前記CELL-PCH状態，URA-PCH状態またはアイドルモードのうちの一つに遷移後初めて利用可能な測定機会において、前記n回の反復測定のうちの1回目として信号強度が測定される、請求項３に記載の装置。
【請求項５】
前記時間間隔は、前記ユーザ装置が前記在圏セルで利用する不連続受信周期の１周期分を含む、請求項１から４の何れか１項に記載の装置。
【請求項６】
前記処理システムはさらに、
前記在圏セルの信号品質に関係なく、n個の測定信号強度の解析に基づいて、前記在圏セルから前記隣接セルに再選択することを実行するように構成される、請求項１から５の何れか１項に記載の装置。
【請求項７】
前記処理システムはさらに、
再選択条件が特定の時間周期Treselectionの間も満たされ続けるかに関係なく、n個の測定信号強度の解析に基づいて、前記在圏セルから前記隣接セルに再選択することを実行するように構成される、請求項１から５の何れか１項に記載の装置。
【請求項８】
前記処理システムは前記ユーザ装置内に配置されるモデムを備える、請求項１から７の何れか１項に記載の装置。
【請求項９】
ユーザ装置を制御する方法であって：
隣接セルが在圏セルよりも優先度が高いセルであると決定することと；
前記隣接セルから受信する信号強度をn回反復して測定することであって、前記測定の各々は互いに、隣接セルが高優先度セルである場合に固有の時間間隔だけ空け、ここでnは1を超える整数である、前記測定することと；
前記ユーザ装置を前記在圏セルから前記隣接セルに再選択するために、前記n個の測定信号強度を解析することと；
を含む、方法。
【請求項１０】
前記隣接セルは高優先度周波数レイヤのセルまたは高優先度無線アクセス技術のセルであり、前記在圏セルはUTRANセルである、請求項９に記載の方法。
【請求項１１】
前記UTRAN在圏セルにあるユーザ装置がCELL-PCH状態，URA-PCH状態またはアイドルモードのうちの一つである間、信号強度がn回反復して測定される、請求項１０に記載の方法。
【請求項１２】
前記CELL-PCH状態，URA-PCH状態またはアイドルモードのうちの一つに遷移後初めて利用可能な測定機会において、前記n回の反復測定のうちの1回目として信号強度が測定される、請求項１１に記載の方法。
【請求項１３】
前記時間間隔は、前記ユーザ装置が前記在圏セルで利用する不連続受信周期の１周期分を含む、請求項９から１２の何れか１項に記載の方法。
【請求項１４】
前記在圏セルの信号品質に関係なく、n個の測定信号強度の解析に基づいて、前記ユーザ装置を前記在圏セルから前記隣接セルに再選択することをさらに含む、請求項９から１３の何れか１項に記載の方法。
【請求項１５】
再選択条件が特定の時間周期Treselectionの間も満たされ続けるかに関係なく、n個の測定信号強度の解析に基づいて、前記ユーザ装置を前記在圏セルから前記隣接セルに再選択することをさらに含む、請求項９から１３の何れか１項に記載の方法。
【請求項１６】
前記ユーザ装置内に配置されるモデムによって実行される、請求項９から１５の何れか１項に記載の方法。
【請求項１７】
一連の命令を格納するコンピュータ可読メモリであって、前記命令は、ユーザ端末で実行されるとき：
隣接セルが在圏セルよりも優先度が高いセルであると決定することと；
前記隣接セルから受信する信号強度をn回反復して測定することであって、前記測定の各々は互いに、隣接セルが高優先度セルである場合に固有の時間間隔だけ空け、ここでnは1を超える整数である、前記測定することと；
前記ユーザ装置を前記在圏セルから前記隣接セルに再選択するために、前記n個の測定信号強度を解析することと；
を前記ユーザ端末に実行させる、コンピュータ可読メモリ。
【請求項１８】
前記隣接セルは高優先度周波数レイヤのセルまたは高優先度無線アクセス技術のセルであり、かつ、前記在圏セルはUTRANセルであり；    前記UTRAN在圏セルにあるユーザ装置がCELL-PCH状態，URA-PCH状態またはアイドルモードのうちの一つである間、信号強度がn回反復して測定され；
前記CELL-PCH状態，URA-PCH状態またはアイドルモードのうちの一つに遷移後初めて利用可能な測定機会において、前記n回の反復測定のうちの1回目として信号強度が測定される；
請求項１７に記載のコンピュータ可読メモリ。
【請求項１９】
前記時間間隔は、前記ユーザ装置が前記在圏セルで利用する不連続受信周期の１周期分を含む、請求項１７または１８に記載のコンピュータ可読メモリ。
【請求項２０】
前記一連の命令は、実行されるとき：
n個の測定信号強度の解析に基づいて、前記ユーザ装置を前記在圏セルから前記隣接セルに再選択することであって、次の事項：
前記在圏セルの信号品質；または
再選択条件が特定の時間周期Treselectionの間も満たされ続けるか；
の何れかに関係なく、再選択することを、前記ユーザ端末に更に実行させる、請求項１７から１９の何れか１項に記載のコンピュータ可読メモリ。
【発明の詳細な説明】
【技術分野】
【０００１】
本発明の実施例および非限定的実施形態は概して、無線通信システムとその方法，装置，コンピュータプログラムに関し、より具体的には、異なる優先度のセル間での再選択を目的とする測定報告を取得するための、ユーザ装置の状態遷移に関する。
【背景】
【０００２】
本出願の明細書および／または添付の図面にて使用される略語の定義は次の通りである。
3GPP        第3世代パートナーシッププロジェクト（third generation partnership project）
DCH        専用チャネル（dedicated channel）
DL        ダウンリンク
DRX        不連続受信
EUTRAN    進化型UTRAN（evolved UTRAN（またはLTE））
FACH        フォワードアクセスチャネル
GERAN        GSM進化型データ伝送（GSM-enhanced data rates for global evolution (EDGE)）
GSM        移動通信用グローバルシステム（global system for mobile communications）
HSPA        高速パケットアクセス（high speed packet access）
LTE        ロング・ターム・エボリューション（long term evolution）
PCH        ページングチャネル
RAT        無線アクセス技術
RRC        無線リソース制御
TDD        時分割複信（time division duplex）
UE        ユーザ装置
UMTS        ユニバーサル移動通信システム（universal mobile telecommunications system）
UL        アップリンク
URA        ユーザ登録領域
UTRA        UMTS地上無線アクセス（UMTS terrestrial radio access）
UTRAN        UTRAネットワーク
WCDMA        広域符号分割多元接続（wideband code division multiple access）
【０００３】
本願で詳述する例示的実施形態は、UTRAN（例えば、WCDMA， HSPA，GERAN）無線システムを背景としている。FACHまたはDCHを介するUTRANセル（それぞれCELL-FACH，CELL-DCHと表わす）に接続するUEは、別のより優先度の高いセル（例えば、インターラット（inter-RAT）E-UTRAN／LTEセルやより優先度の高い周波数レイヤで動作する周波数間UTRANセル）に移行して接続しようとする。これらのシステムは単なる例示であって、こうした技術は前述の無線システムに限定されることなく、より汎用的に適用可能である。
【０００４】
LTEシステムに対してCELL-FACH状態にあるUEがどの様に再選択できるかを詳述する仕様は、LTEリリース8では意図的に規定されていない。当時、そうしたUEは再選択を行うためにアイドル／CELL-PCH／URA-PCH状態に遷移できると想定されたためである。その後、UEがUTRANからより優先度の高いE-UTRANセル（例えば、LTEホットスポット）に移行する際、UEが測定・解析・再選択を行うのに十分な時間だけアイドル／CELL-PCH／URA-PCH状態にはないという問題が認識された（3GPP会合RAN2#73およびRAN4#58等）。具体的には、特定のネットワークで構成された（例えば、CELL-FACHからURA-PCHへの遷移に使用される）状態遷移タイマーとトラフィックパターンを特定の測定規則と組み合わせた状況下で、UEがUTRAN CELL-FACH状態から再選択する場合、環境によってはE-UTRANセルへの再選択を完了できない。こうした状況は、トラフィックパターンが「バースト的（bursty）」であるとき、すなわち、UEが常時オンライン接続に使用されるパケット交換型デバイスであるとき等に生じる。こうしたデバイスは例えば、ラップトップコンピュータに接続できるUMTS／LTE USB（ユニバーサルシリアルバス）モデム等がある。
【０００５】
議論されていた可能性のある解決方法の一つは、UEがCELL-FACH状態の間にLTEセルへの再選択を可能にすることであった。しかし、この方法は常に安定したものではない。例え、同一のネットワークオペレータが同一の地理的領域にUTRANセルとしてLTEセルを配置したとしても、CELL-FACH状態で測定の機会を利用するか否かはネットワーク装置側の選択に委ねられるからである。
【０００６】
したがって、CELL-FACH状態でのUEの測定結果を構成して受け入れられる機能をUTRANが備えるか否かに関係なく、UEがUTRAN CELL-FACHとCELL-PCHまたはURA-PCHとの間を頻繁に遷移する際に使える解決方法を備えることも望まれる。
【０００７】
現行仕様では、UEは次のステップを実行するように規定されている：
a．アイドルまたはPCH状態からCELL-FACH状態に遷移するとき、LTE隣接セルの監視を停止する。
b．CELL-FACH状態からアイドルまたはPCH状態に遷移するとき、LTE隣接セルの監視を開始する。ステップaおよびbの組合せは、UEがCELL-FACH状態から遷移後に新しい測定を開始する場合、測定評価を再開し、CELL-FACH状態遷移前に行った測定を破棄する必要があることを示唆する。
c．構成された高優先度周波数レイヤ毎に、少なくとも60秒に1回の割合で高優先度周波数レイヤを測定する。これは、UEによっては、アイドルまたはPCH状態への遷移後で測定実行前に、構成された高優先度周波数レイヤ毎に60秒間待機してもよいことを示唆する。
d．最低でも各Kcarrier * Tmeasure,EUTRAにおいて、高優先度（LTE）周波数レイヤを測定する。この値は、E-UTRA高優先度キャリアが構成される場合、典型的な1.28 DRXサイクルに対して6.4秒である。
e．再選択の決定までに少なくとも2サンプルを測定して平均する。これらの測定は少なくとも（Kcarrier * Tmeasure,EUTRA）／2だけ間隔を空けなくてはならない。UEがCELL-FACH状態から遷移直後、最初の測定を行ったと仮定したとしても、再選択が決定・実行されるまでに少なくとも2.5 * DRXサイクルは経過することになる。通常1.28 DRXサイクルに対して、これは最低でも3.84秒である。UEがDRXサイクル中にウェイクアップしてバッテリ寿命には望ましくない点を考慮し、LTE隣接セルへの移行までの最短時間は、UEがCELL-FACH状態から遷移後3 DRXサイクルとする。
f．新規セルに移行する前にTreselectionを適用する。Treselectionは、UEの再選択完了前に、在圏セルがカバレッジの悪い状態から回復できないことをUEが確認できるように与えられる遅延である。これは、隣接／新規セルが優先度最上位にあることをUEが確認できるようにする。この確認によって、意図的に追加遅延が再選択に加えられる。
g．高優先度探索によってセルを検出後、再選択されなかったことが決定された場合、UEは再選択の継続可能性を評価するために継続してセルを測定する必要がない。そして、周波数を再度評価する前に、構築された高優先度周波数レイヤ毎に60秒待機してもよい。
【０００８】
共同出願である米国特許出願第13／023,675号（名称：チャネル測定機会に対する優先度測定規則（PRIORITY MEASUREMENT RULES FOR CHANNEL MEASUREMENT OCCASIONS），出願日：2011年2月9日）には、再選択を可能にするためにCELL-FACH状態で測定機会を利用することが詳述されている。本出願の例示的実施形態によって詳述される解決方法は全てのネットワーク構成／タイマー設定に対して動作可能であると想定されるため、より広く適用できる。
【発明の摘要】
【０００９】
本発明の第1の例示的実施形態では、ユーザ装置を制御するために用いる、処理システムを備える装置が提供される。処理システムは例えば、少なくとも一つのプロセッサと一連のコンピュータ命令を格納するメモリを備えてもよい。この実施形態において、処理システムは：隣接セルが在圏セルよりも優先度が高いセルであると決定することと；前記隣接セルから受信する信号強度をn回反復して測定することであって、前記測定の各々は互いに、隣接セルが高優先度セルである場合に固有の時間間隔だけ空け、ここでnは1を超える整数である、前記測定することと；前記ユーザ装置を前記在圏セルから前記隣接セルに再選択するために、前記n個の測定信号強度を解析することと；を実行するように構成される。
【００１０】
本発明の第2の実施形態では、ユーザ装置を制御する方法であって：隣接セルが在圏セルよりも優先度が高いセルであると決定することと；前記隣接セルから受信する信号強度をn回反復して測定することであって、前記測定の各々は互いに、隣接セルが高優先度セルである場合に固有の時間間隔だけ空け、ここでnは1を超える整数である、前記測定することと；前記ユーザ装置を前記在圏セルから前記隣接セルに再選択するために、前記n個の測定信号強度を解析することと；を含む方法が提供される。
【００１１】
本発明の第3の実施形態では、一連の命令を格納するコンピュータ可読メモリであって、前記命令は、ユーザ端末で実行されるとき：隣接セルが在圏セルよりも優先度が高いセルであると決定することと；前記隣接セルから受信する信号強度をn回反復して測定することであって、前記測定の各々は互いに、隣接セルが高優先度セルである場合に固有の時間間隔だけ空け、ここでnは1を超える整数である、前記測定することと；前記ユーザ装置を前記在圏セルから前記隣接セルに再選択するために、前記n個の測定信号強度を解析することと；を前記ユーザ端末に実行させる、コンピュータ可読メモリが提供される。
【００１２】
これらを含め他の実施形態と側面は、以降で詳しく記述される。
【図面の簡単な説明】
【００１３】
【図１】本発明の実施形態が実施されうる例示的環境の概略図であり、E-UTRAN隣接セルへの移行のための測定を行うUTRAN在圏セルの下にある移動デバイス／UEを示す。
【図２】本発明の例示的実施形態に従う方法の動作、およびコンピュータ可読メモリに実装されるコンピュータプログラム命令の実行結果を示す論理フロー図である。
【図３】本発明の例示的実施形態を実行するのに適する例示的電子デバイスであって、UTRANネットワークと通信し、隣接E-UTRANセルの測定を行うUEの簡易ブロック図である。
【本願の詳細な説明】
【００１４】
UTRAには複数のRRC状態がある。CELL-DCH状態は、UEに対してアップリンク（UL）およびダウンリンク（DL）に割当てられる専用物理チャネルによって規定される。UEはUTRANセルによって与えられる現行のアクティブセットを有する。UEは専用トランスポートチャネル等の様々なトランスポートチャネルを使用でき、UMTS TDDモードではULおよびDL共有トランスポートチャネルも使用できる。CELL-FACH状態は、UEに割当てられる専用物理チャネルがなく、代わりにUEがDLでFACHを監視し続けることによって規定される。CELL-FACH状態では、UEがトランスポートチャネルをアクセスするのに使用可能なUL（RACH）に共通（デフォルト）または共有トランスポートチャネルが割当てられ、UMTS TDDモードのUEは更に一つ以上のULおよびDL共有チャネルにアクセスしてもよい。UEは、以下で詳述されるCELL-PCHまたはURA-PCH状態のときよりも頻繁にアクティブチャネルを監視しなくてはならないため、こうしたより多くのアクティブ状態が考慮されてもよい。
【００１５】
CELL-PCH状態は、UEに割当てられる専用物理チャネルがなく、代わりにDRXを用いてPCHのページングを監視し、PCHに対してリスンしない場合にUEが省電力モードに移行できるようにすることによって規定される。その結果、CELL-PCH状態ではULのアクティビティがなくてもよい。URA-PCH状態も同様であるが、CELL-FACH状態でセルの最終更新からのUEの位置をセル自身が追跡する代わりに、URA-PCH状態ではネットワークがUTRAN登録エリアの粒度に対してのみUEの位置を追跡する。当然ながらUEの視点からのアクティビティは、CELL-DCHとCELL-FACH状態よりも低い。
【００１６】
以下で詳述されるこうした教示の実施形態に従って、UTRANセルで動作するUEは、そのRRC状態を（この場合のような）CELL-FACHまたはCELL-DCHから、CELL-PCH，URA-PCHまたはアイドル状態に遷移し、再選択するために隣接セルの測定結果を収集する。こうした測定結果の収集方法を以下で詳細に記述する。
【００１７】
図1は、UTRAN在圏セル22の下にある移動デバイス／UE20の概略図である。UE20は最初にCELL-FACHまたはCELL-DCH状態にあり、CELL-PCH，URA-PCHまたはアイドル状態／モードの何れかに遷移する。これらの状態／モードの一つに遷移後、UE20はE-UTRAN隣接セル26から受信する信号を測定し、UEによるこれらの測定結果の解析の少なくとも一部に、E-UTRAN隣接セル26に再選択するか否かの決定の基礎を置く。しかし、UE20は依然として在圏UTRANセル22の下にあるため、在圏UTRANセル22がUE20に何も伝送しないと想定されるときだけ測定を行わなくてはならない。CELL-FACHまたはCELL-DCH状態と比較して、UE20は在圏セル22のPCHを監視しているだけのときに隣接セル26を測定する機会を多く有する。よって、UEは最初にRRC状態をCELL-FACHまたはCELL-DCHから、CELL-PCH，URA-PCHまたはアイドルの何れかに遷移する必要がある。
【００１８】
CELL-PCH状態，URA-PCH状態またはアイドルモードでは、UTRANセル22がUE20に割当てるDRX期間によって、UE20が在圏セルを「リスン」する必要がないタイミングが部分的に管理される。隣接セル26が再選択に相応しいかを適切に評価するために、UE20は、隣接セルからの期待される無線状態を正確に反映する十分な測定結果を得て、UEが実際にそのセルに再選択した場合でもUEがチャネルを維持できるようにしなくてはならない。これらの測定結果は、チャネル状態をフェーディングする可能性があってもなお有効であるように十分に速く取得されなくてはならない。UE20が取得する隣接セル26の測定結果は例えば、受信信号強度等であり、より具体的には受信信号出力でもよい。
【００１９】
本教示の例示的実施形態では、UE20が隣接セルから測定結果を取得する時間間隔をより短くすることができ、UEが再選択決定を高速で行うことが可能となる。例えば、UTRAN在圏セル22を有するUE20がE-UTRANセル26（または在圏セルよりも高優先度と見做される他のセル）である隣接セルに関する測定を行っている場合、UE20はそのE-UTRAN隣接セル26に関して行われる測定の時間間隔としてより短い時間を用いる。しかし、同一UE20がUTRAN隣接セル26（または在圏セルよりも高優先度と見做されない他のセル）に関する測定を行っている場合、UE20はこれらの測定の時間間隔としてより長い時間を用いる。
【００２０】
UE20は、隣接セルリストからどの隣接セルがUTRANでどれがE-UTRANであるかを、対応する優先度に沿って直ちに決定できる。隣接セルリストは在圏セルがシステム情報にブロードキャストする。あるいは、専用シグナリングや隣接セル自身のブロードキャストシステム情報、隣接セルが伝送する周波数帯からUEに通知される。隣接セルリストは隣接セルの動作周波数を通知してもよい。これらはハンドオーバ／再選択のためにUE20が測定する周波数レイヤである。ある実施形態では、UE20は、この隣接セルリストからどの隣接セルがどのRATで動作しているか、そしてどのキャリアが在圏周波数よりも優先度が高いかまたは低いかを決定する。
【００２１】
一般的には、ここ最近の仕様によるRATは旧来のRATよりも高いデータレートおよび／またはより多くのサービスを提供できるため、新型RATは旧型RATよりも優先度が高く構成されている。つまり、E-UTRANはUTRANよりも高いデータレートおよび／またはより多くのサービスを提供できると考えられる。したがって、ある実施形態では、在圏セルが用いる無線アクセス技術に対して、より優先度の高いセルが採用する無線アクセス技術によって高優先度セルが規定されてもよい。
【００２２】
ある特定の実施形態に従って、高優先度セルに再選択する目的で測定結果を収集・解析するために、UE20は三つの異なる動作を行う。それらは次の通りである：
【００２３】
UEが行う第1の動作は、UEがRRC状態をCELL-FACHまたはCELL-DCHから、CELL-PCH状態，URA-PCH状態またはアイドルモードに遷移する際、RRC状態の遷移直後に、UE20が最初に利用可能な測定機会に（LTE等の）高優先度周波数レイヤの測定をUEは行う。UEがアイドル状態にある時間は限られるかもしれないため、こうした速やかな測定が必要となる。様々なメーカーが提供するUEに対してこうした振る舞いを要求することは、発行済みの仕様に規定されることを要求しているようなものである。RRC状態遷移直後に最初の測定を行うことで、再選択の決定全体をより速く行える。
【００２４】
UEが行う第2の動作は、前述のような場合、UE20が隣接セル測定結果を取得する時間間隔は異なる複数のものがあって、測定される隣接セル26が在圏セル22よりも優先度が高いか否かに依存している。ある非限定的な実施形態では、隣接セル26がE-UTRANまたは他の高優先度セルであるとUEが決定すると、CELL-PCH状態，URA-PCH状態またはアイドルモードであるUE20は、より短時間、例えば1 DRXサイクル等の間隔で測定結果を取得すべきである。隣接セルがUTRANセルであるか、在圏セルの優先度と同一またはより低いセルである場合と比べて、時間間隔はより短い。これにより、UE20は測定結果を平均して、優先度の高いRAT間隣接セルに再選択するための評価を速く実行できる。複数の測定結果の平均を取ることで、短期間のチャネルフェーディングに対するロバスト性を確実にできる。
【００２５】
現行のE-UTRAN仕様では、最小測定レートを与える値Tmeasure_EUTRAがある。しかし、この最小値はUTRANセルと同じであるため、3GPP TS 25.133におけるこれらの要件はGSMとしてのLTEに対するものと同じであると考えられる。本発明者は、仕様書のこれらの箇所が起草されたとき、その目的は最小測定レートを低くしてUEのバッテリ寿命を保持することであったことを想起した。よって本発明者は、これが特定の環境下で継続して測定される必要のある低優先度セルには適切であるものの、高優先度セルにはそれ程必要なことではないと考えた。具体的には、3GPP TS 25.133 v10.0.0 (2010-12) の第4.2.2.5a節に記述されている現行規則は次のとおりである：
UEは、識別されたE-UTRAセルに対し、少なくともKcarrier * Tmeasure,EUTRA毎にRSRPを測定するものとする。Tmeasure,EUTRAは表4.2で定義される通りである。
…
UEは、少なくとも二つの測定結果を用いて測定されたE-UTRAセルの各々のRSRP測定をフィルターするものとする。フィルターするのに用いる測定結果のセット内で、少なくとも二つの測定結果は少なくとも（Kcarrier * Tmeasure,EUTRA）／2だけ間隔を空けるものとする。
【００２６】
再選択決定のロバスト性に関して、UEは隣接セルへの再選択を決定する前に、複数の測定を行わなくてはならない。したがって、所定の隣接セルに対する測定の反復回数をn回とする。nは1より大きい整数である。再選択評価を行うためのこうしたn回反復測定が繰り返されるのに掛かる合計時間は、時間周期Thigher_priority_searchで定義される。しかし、各反復測定間の時間間隔は測定される隣接セルが在圏セルよりも優先度が高いか否かに依存する。これにより、RRC状態の遷移前に高優先度の周波数およびRATに対して要求された2回のサンプリングを実行する機会が最大となる。しかも、低優先度周波数およびRATの測定による電力消費には影響しない。
【００２７】
ある実施形態では、この方法が、別の（高速の）測定評価規則が高優先度レイヤに条件付きで適用されると規定する仕様書の発行によって実装されてもよい。例として、高優先度E-UTRAセルに関する再選択決定にのみ適用可能な時間間隔を与えるために、RAN4仕様に新たな表が追加されてもよい。
【００２８】
この例示的実施形態に従ってUEが行う第3の動作は、高優先度セルまたは周波数レイヤに再選択するかを決定する際、パラメータTreselectionを無視することである。ただしUEが、高優先度隣接セルを解析するのに少なくともn=2の測定サンプルを平均することができる場合に限る。TreselectionはE-UTRAN仕様でネットワークが構築可能な時間間隔であって、その時間間隔において、UEは再選択条件が継続して適合することを確認し、一時的なフェーディングによってトリガーされないように保証する。例として再選択条件は、在圏セルの信号強度が閾値よりも低くなることでもよい。僅か2測定サンプルを平均することでも、チャネルフェーディング条件を考慮すれば、ターゲットの／隣接する高優先度セルの信頼性を十分に高まる。在圏セルの品質は在圏に基づく再選択とは関係しない（つまり、UE20がよりよいアクセスを得るためにE-UTRANホットスポットへの接続を探すとしても、基本のセルラーカバレッジに対しては同一のUTRAN在圏セルに接続し続けることになる）。
【００２９】
実施形態によっては、現行のUEの指示を変更するための仕様標準によって、この第3の動作が命令されてもよい。ある実施形態では、UEの測定後、高優先度周波数レイヤ／セルへの再選択前に在圏セルの信号強度／品質／出力の確認を省くことができる。代替的実施形態では、UEが高優先度周波数レイヤ／セルへの再選択を決定する際、特定の時間間隔Treselectionの経過後も当初の再選択条件やトリガーが満たされたままであるかの確認を省く（または省くよう要求する）ことが可能であってもよい。
【００３０】
これら三つの動作を統合すると一つの特定された非限定的な実施形態となり、UEはCELL-FACHからIDLE／PCH状態へ遷移し、方優先度EUTRAN周波数レイヤの測定を速やかに実行する。1ページング周期経過後、UEは高優先度EUTRAN周波数レイヤの第2測定を実行する。UEはその後、これらの測定結果を解析し、両測定結果とも適切なE-UTRAN高優先度候補を確証した場合、UEはTreselectionタイマーを無視して識別された候補への再選択を速やかに実行するようにする。
【００３１】
これまでに詳述したような特定の例示的実施形態によって、データトラフィックパターンとネットワーク構成において最大の難問を抱えるLTEであっても、高優先度周波数レイヤとしてUEが評価し再選択できることを確実にする技術的効果がもたらされる。また、UEが半アイドル状態（CELL-PCHまたはURA-PCH）またはアイドルモードに遷移後、2DRXサイクル以内に再選択できる。よって、UEが状態遷移直後の最初のページングによって呼び出されでもしない限り、（測定報告によって隣接セルに十分な信号強度があることを確認していることを仮定したとして）常に再選択を行える。このような技術的効果も合わせてもたらされる。前述の結果として、「常時オンライン」のデータセッション中であってもホットスポットの位置を見付けられるため、ユーザ体験も改善される。別の技術的効果としては、UEがアイドル／半アイドルモードに留まるときに電力消費が影響されないことである。これは、UEが次の高優先度探索を実行するまで同一の所定時間（Thigher_priority_search）だけ待機してもよく、各探索に掛ける測定サンプルの総数が変わらないためである。
【００３２】
加えて、新たなネットワークの導入やネットワークの改修が不要であるため、実装も非常に容易であると考えられる。さらに、実装はUE自身内で完結するため、相互運用性の問題があったとしても、その問題は非常に小さい。
【００３３】
図2は、本発明の例示的実施形態をUEの視点から記述する論理フロー図である。図2は方法の動作と、コンピュータ可読メモリに実装されるコンピュータプログラム命令の実行結果、電子デバイス／UEが動作するように、その電子デバイスの要素が構成される特定の方法を示すものと見做されてもよい。図2の種々のブロックも、接続して論理回路を構成する複数の要素として、関連する機能やメモリに格納されるコンピュータプログラムコードまたは命令の記述による特定の結果を実行するものと見做されてもよい。
【００３４】
こうしたブロックとそれらが示す機能は、非限定的な実施例であって、集積回路チップやモジュール等の種々の要素で実行されてもよい。本発明の例示的実施形態は、集積回路として実装される装置で実現されうる。集積回路または回路は、少なくとも１つ以上のデータプロセッサ、デジタル信号プロセッサやプロセッサ、ベースバンド回路、および本発明の例示的実施形態に従って動作するように構成される無線周波数回路を実装する回路（ファームウェアである可能性もある）を含んでもよい。
【００３５】
ブロック202で、UEまたはその（1または複数の）要素は、隣接セルが在圏セルよりも優先度が高いセルであると決定する。ブロック204で、UEまたはその（1または複数の）要素は、隣接セルから受信する信号強度をn回反復して測定する。各測定は互いに、隣接セルが高優先度セルである場合に固有の時間間隔だけ空ける。前述の通り、nは1を超える整数である。次にブロック206で、UEまたはその（1または複数の）要素は、在圏セルから隣接セルに再選択するために、n個の測定信号強度を解析する。例として、この解析はn個の反復測定した信号強度を平均することを含む。
【００３６】
図2の残りの箇所はブロック202，204および206に対するより具体的な実装を示す。ブロック208は、隣接セルが高優先度周波数レイヤのセル（例えば、在圏セルよりも高い優先度で動作するUTRANセル）や高優先度RATのセル（例えば、E-UTRANセル）で、在圏セルがUTRANセルと規定する。つまり、隣接セルはE-UTRANセルやオペレータが高優先度周波数レイヤに対して構築したGSMセルでもよい。ブロック210はブロック208を更に詳述し、UTRAN在圏セルにあるユーザ装置がCELL-PCH状態，URA-PCH状態またはアイドルモードのうちの一つである間、ブロック204の信号強度がn回反復して測定される。ブロック212はブロック210を更に限定し、UEがCELL-PCH状態，URA-PCH状態またはアイドルモードに遷移後初めて利用可能な測定機会において、n回の反復測定のうちの1回目として信号強度が測定される。
【００３７】
ブロック214では、高優先度の関する反復測定間の例示的時間間隔として、UEが在圏セルで利用する1 DRX周期が与えられる。ブロック216ではこの実施形態を更に詳しく記述し、n個の測定信号強度の解析に基づいて、UEが在圏セルから隣接セルに再選択する。その際、前述したように在圏セルの信号品質に関係しないことが再選択条件の一例である。ブロック218はブロック216に対する代替的実施形態である。n個の測定信号強度の解析に基づいて、UEが在圏セルから隣接セルに再選択する際、再選択条件が特定の時間周期Treselectionの間も満たされ続けるかに関係しない。
【００３８】
特定の実施形態によっては、図2は、前述のUEとは別の、またはUE内に配置されるモデムの動作を表わすものと見做されてもよい。
【００３９】
本発明の様々な実施形態は、決定手段と測定手段，解析手段を備える装置として実装されてもよい。決定手段は、図2のブロック202で示すように、隣接セルが在圏セルよりも優先度が高いセルであると決定し、例えば、コンピュータ可読メモリに格納されるコンピュータ命令および無線受信機と併せたプロセッサでもよい。測定手段は、図2のブロック204で示すように、隣接セルから受信する信号強度を、優先度で特定される時間間隔でn回反復して測定する。こうした測定手段に関する特定の実施形態は、前述の無線受信機でもよい。そして、図2のブロック206で詳述ように、UEが在圏セルから隣接セルに再選択するために、n個の測定信号強度を解析する解析手段があってもよい。こうした解析手段は例えば、（1または複数の）プロセッサでもよい。
【００４０】
次に図3を参照する。図4は、本発明の例示的実施形態を実行するのに適する種々の電子デバイスと装置の簡易ブロック図を示す。図3では、無線ネットワーク（基地局22とRNC24）が無線リンク21を介してUE20または携帯端末等の装置と通信するために適している。UE20は、基地局／ノードB 22や中継局等のネットワークアクセスノードを介して通信する。ネットワークは無線ネットワークコントローラRNC24を備えてもよく、それは、公衆交換電話網（PSTN）および／またはデータ通信ネットワークやインターネット等のさらに別のネットワークへの接続を提供する。
【００４１】
UE20は次の手段を備える：少なくとも一つのデータプロセッサ（DP）20A等の処理手段；少なくとも一つのコンピュータプログラム（PROG）20Cを格納する、少なくとも一つのコンピュータ可読メモリ（MEM）20B等の記憶手段；一つ以上のアンテナ20Fを介して基地局22と双方向無線通信するための送信機TX20Dと受信機RX20E等の通信手段。また、優先度に固有の隣接セル測定間隔は参照番号20Gで示され、MEM 20Bに格納される。これは、ルックアップテーブルやアルゴリズムの形態で非限定的実施例として実装されてもよい。少なくとも、コンピュータ命令PROGを格納する記憶手段と併用される処理手段は処理システムと見做されてもよい。
【００４２】
基地局22も次の手段を備える：少なくとも一つのデータプロセッサ（DP）22A等の処理手段；少なくとも一つのコンピュータプログラム（PROG）22Cを格納する、少なくとも一つのコンピュータ可読メモリ（MEM）22B等の記憶手段；一つ以上のアンテナ22Fを介してUE20と双方向無線通信するための送信機TX22Dと受信機RX22E等の通信手段。基地局22とRNC24とを繋ぐデータおよび／または制御通信路25と、基地局22と他の基地局／ノードB／アクセスノードとを繋ぐデータおよび／または制御通信路23もある。
【００４３】
同様に、RNC24は次の手段を備える：少なくとも一つのデータプロセッサ（DP）24A等の処理手段；少なくとも一つのコンピュータプログラム（PROG）24Cを格納する、少なくとも一つのコンピュータ可読メモリ（MEM）24B等の記憶手段；データ／制御通信路25を介して基地局22と双方向無線通信するためのモデム24H等の通信手段。UE20や基地局22で特に図示してしないが、これらのデバイスは無線通信手段の一部としてモデムを備えるものと想定してもよい。モデムは、これらのデバイス20，22内でTX20D／22DとRX20E／22Eを実行する無線フロントエンドチップに内蔵されてもよい。
【００４４】
また、DPとPROGを格納するMEM，送信機，受信機，アンテナを同様に備える隣接セル26も示されている。隣接セル26は、20Gに格納する時間間隔に従ってUE20が測定した結果を通信路27に伝送する。
【００４５】
UE20の少なくとも一つのPROG20C／20Gは、一連のコンピュータ可読命令を含むと想定される。コンピュータ可読命令は、関連するDP20Aで実行されると、デバイスを本発明の実施形態に従って動作可能にする。この点において、本発明の例示的実施形態は、UE20のDP20A，ハードウェア，または有形の格納されたソフトウェアとハードウェア（および有形の格納されたファームウェア）の組み合わせが実行する、MEM20Bに格納されるコンピュータプログラムによって少なくとも部分的に実装されてもよい。本発明のこれらの側面を実装する電子デバイスは、UE20全体である必要はないが、例示的実施形態は、前述の有形の格納されたソフトウェアやハードウェア，ファームウェアとDP，モデム，システム・オン・チップSOC，特定用途向け集積回路ASIC等の一つ以上の同種の構成要素で実装されてもよい。
【００４６】
一般に、ユーザ端末20の種々の実施形態は、無線通信機能を有するパーソナル・ポータブル・デジタルデバイスを含むが、これらに限定されない。パーソナル・ポータブル・デジタルデバイスは携帯電話やナビゲーションデバイス，ラップトップ／パームトップ／タブレットコンピュータ，デジタルカメラ，音楽デバイス，インターネット家電製品等を含むが、これらに限定されない。
【００４７】
コンピュータ可読MEM20B・22Bの種々の実施形態は、当該技術分野に適合するあらゆる種類のデータ記憶技術を含み、半導体ベースの記憶デバイスや磁気記憶デバイス・システム，光記憶デバイス・システム，固定メモリ，リムーバブルメモリ，ディスクメモリ，フラッシュメモリ，DRAM，SRAM，EEPROM等を含む。ただし、これらに限定されない。DP20A・22Aの種々の実施形態は汎用コンピュータや特定用途向けコンピュータ，マイクロプロセッサ，デジタルシグナルプロセッサ（DPS），マルチコアプロセッサを含むが、これらに限定されない。
【００４８】
上述した本発明の例示的実施形態への種々の修正変更は、上記記述を考慮すれば、関連する技術分野の当業者には明白となりうる。前述の例示的実施形態はUTRANおよびE-UTRANシステムに関して記述されてきたが、当然のことながら、本発明の例示的実施形態は例示した特定の種類の無線通信システムのみで使用可能と限定されるものではなく、他の無線通信システムにおいても有用である。
【００４９】
さらに、前述の非限定的実施形態の種々の特徴は、対応する他で記載の特徴を用いなくても有用でありうる。したがって、前述した記載は、本発明の原理、教示そして例示的実施形態を単に説明しているに過ぎず、それらを限定するものではないことを留意すべきである。
【図１】
2014512752.tif 000003
【図２】
2014512752.tif 000004
【図３】
2014512752.tif 000005
【国際調査報告】
2014512752.tif 000006
2014512752.tif 000007
2014512752.tif 000008